(57)【特許請求の範囲】
【請求項１】
天板と、
前記天板の配下に設けられた、飲食物を収容する複数の引出しと、を備え、
前記天板の少なくとも一部は、前記各引出しに収容された飲食物を視認できるように透明部材で構成され、
前記天板は、前記各引出しに対応して、前記飲食物を上方から取り出し可能に開閉可能な複数の扉部を備え、
前記扉部は、閉状態では、対応する前記引出しの上方を覆い、開状態では、対向または隣接する座席の位置関係にある他の前記引出しの方向に立ち上がり、飛沫感染を予防するための仕切り板として垂直に固定される
ことを特徴とする飲食用テーブル。
【請求項２】
請求項１に記載の飲食用テーブルであって、
対向または隣接する座席の位置関係にある第１の引出しと第２の引出しに対応する第１の扉部と第２の扉部に関して、
前記第１の引出しと前記第２の引出しが対向する座席の位置関係にある場合、前記第１の扉部は、前記第２の引出しの方向に立ち上がり、前記第２の扉部は、前記第２の引出しに隣接する座席の位置関係にある、前記第１の引出しとは異なる他の引出しの方向に立ち上がり、
前記第１の引出しと前記第２の引出しが隣接する座席の位置関係にある場合、前記第１の扉部は、前記第２の引出しの方向に立ち上がり、前記第２の扉部は、前記第２の引出しに対向する座席の位置関係にある、前記第１の引出しとは異なる他の引出しの方向に立ち上がる
ことを特徴とする飲食用テーブル。
【請求項３】
請求項１または２に記載の飲食用テーブルであって、
前記扉部は、取手を備えている
ことを特徴とする飲食用テーブル。
【請求項４】
請求項１から３のいずれか一項に記載の飲食用テーブルであって、
複数の前記引出しを備え、
前記透明部材は、前記複数の引出しの各上方に個別に配置されている
ことを特徴とする飲食用テーブル。
【請求項５】
請求項１から４のいずれか一項に記載の飲食用テーブルであって、
複数の前記引出しを備え、
前記複数の引出しのうち２つは、引き出す方向が反対になるように配置されている
ことを特徴とする飲食用テーブル。
【請求項６】
請求項１から５のいずれか一項に記載の飲食用テーブルであって、
前記引出しの底は、一部が上げ底になっている
ことを特徴とする飲食用テーブル。
【請求項７】
請求項１から６のいずれか一項に記載の飲食用テーブルであって、
前記引出しは、底板を備え、周囲の壁が省略されて解放されている
ことを特徴とする飲食用テーブル。
【発明の詳細な説明】
【技術分野】
【０００１】
本発明は、飲食用テーブルに関する。
【背景技術】
【０００２】
近年流行している新型コロナウィルスやインフルエンザウィルス等の、一部の病原体は、食事の際の飛沫により感染するリスクがあると言われている。
【０００３】
特許文献１には、食事用テーブルの下部に補助天板を収納できる引出しを設け、使用に際し、補助天板を引出しの上に載せて使用する食事用テーブルが記載されている。
【先行技術文献】
【特許文献】
【０００４】
【特許文献１】実用新案登録第３０２１１１７号
【発明の概要】
【発明が解決しようとする課題】
【０００５】
新型コロナウィルス等による飛沫感染を予防するには、料理に飛沫がかからないようにすることが考えられる。しかし、食事をしながらの会話において、料理に飛沫がかからないようにするために、料理を口に運ぶ際にマスクを外し、料理を口に入れたらマスクを掛ける動作は、段々と煩わしいものとなってくる。また、新型コロナウィルスの感染拡大による時短営業、自粛などにより外食産業が受けている打撃は大きく、病院や介護施設等での感染症対策も急務となっている。そこで、対面の食事の場などで、マスクを掛けなくても食事と会話を楽しむことができ、飛沫感染の予防が可能なテーブルの出現が求められている。
【０００６】
特許文献１のテーブルは、利用者と天板の間に大きな隙間が生じないようにするためのものであり、他の用途は想定されていない。
【０００７】
本願発明は、上記課題を解決し食事中の飛沫感染を防止する感染防止具となる飲食用テーブルを提供することを目的とする。
【課題を解決するための手段】
【０００８】
本願発明は、上記課題の少なくとも１つを解決するものであるが、その例を挙げるならば、次の通りである。すなわち、本発明の一態様である飲食用テーブルは、天板と、前記天板の配下に設けられた、飲食物を収容する引出しと、を備え、前記天板の少なくとも一部は、前記引出しに収容された飲食物を視認できるように透明部材で構成されている。
【０００９】
前記天板は、前記飲食物を上方から取り出し可能に開閉可能な扉部を備えていてもよい。
【００１０】
複数の前記引出しを備え、前記扉部は、開状態では閉状態と垂直になる位置で固定されるものであってもよい。
【００１１】
前記天板は、前記複数の引出しの各々に対応して複数の前記扉部を備え、対向または隣接する座席の位置関係にある２つの前記扉部は、互いに９０度異なる方向に開閉するものであってもよい。
【００１２】
前記扉部は、取手を備えていてもよい。
【００１３】
複数の前記引出しを備え、前記透明部材は、前記複数の引出しの各上方に個別に配置されていてもよい。
【００１４】
複数の前記引出しを備え、前記複数の引出しのうち２つは、引き出す方向が反対になるように配置されていてもよい。
【００１５】
前記引出しの底は、一部が上げ底になっていてもよい。
【００１６】
前記引出しは、底板を備え、周囲の壁が省略されて解放されていてもよい。
【発明の効果】
【００１７】
本願発明によれば、食事中の飛沫感染を防止する感染防止具となる飲食用テーブルを提供することができる。
【００１８】
上記した以外の課題、構成、および効果は、以下の実施形態の説明により明らかにされる。
【図面の簡単な説明】
【００１９】
【図１】本実施形態に係る飲食用テーブルの一例を示す図である。
【図２】本実施形態に係る飲食用テーブルの一例を示す図である。
【図３】本実施形態に係る飲食用テーブルの使用の一例を示す図である。
【図４】本実施形態の変形例に係る飲食用テーブルの例を示す図である。
【図５】本実施形態の他の変形例に係る飲食用テーブルの例を示す図である。
【図６】本実施形態に係る飲食用テーブルに用いる引出しの他の例を示す図である。
【発明を実施するための形態】
【００２０】
以下、本願発明の実施形態の例について、図面を参照して説明する。本願において、構成要素等の形状、位置関係等に言及する場合は、特に明示した場合および原理的に明らかにそうでないと考えられる場合等を除き、実質的にその形状等に近似または類似するもの等を含むものとする。
【００２１】
図１〜図３は、本実施形態に係る飲食用テーブル１の一例および使用の一例を示している。図１（ａ）は、本実施形態に係る飲食用テーブル１の斜視図、図１（ｂ）は、飲食用テーブル１の正面図、図２は、飲食用テーブル１の平面図、図３（ａ）は、飲食用テーブル１の使用の一例を示す斜視図、図３（ｂ）は、飲食用テーブル１の使用の一例を示す正面図である。本実施形態に係る飲食用テーブル１は、天板１０の配下に引出し３０を備え、飲食物を天板１０の配下に収容するものである。
【００２２】
飲食用テーブル１は、天板１０と、脚部２０と、引出し３０と、下板４０と、を備える。飲食用テーブル１の基本的な構成については、一般的なテーブルと同様の構成であるため、詳しい説明は省略する。
【００２３】
天板１０は、一部に透明部材１１を備えている。透明部材１１は、天板１０の配下に後述する引出し３０を収納した際に、引出し３０が位置する部分に設けられる。天板１０の一部に透明部材１１を備えていることで天板１０上から覗くと飲食物を視認することができる。そのため料理や飲料の量を容易に確認でき、飲食がし易くなる。透明部材１１は、引出し３０ごとに個別に配置されている。したがって、複数の引出し３０を備える場合、引出し３０の数と同数の透明部材１１が配置される。本実施形態では、４人掛けの飲食用テーブルのため、飲食用テーブル１は、引出し３０を４つ備え、各引出し３０の上方に個別に透明部材１１が配置されている。
【００２４】
天板１０は、利用者の着席位置から向かって左右の端部の下に側板１２を備えている。側板１２を備えることで、側面から引出し３０が落下するのを防止することができる。また、側面からの飛沫の侵入を防ぐことができる。ただし、側板１２は、設けられていなくてもよい。
【００２５】
引出し３０は、一部が開口した箱形をしている。引出し３０は、底板３１と、４枚の側面板３２と、から構成される。引出し３０は、料理の載った皿２、箸３、および飲料用容器４などを収容できる程度の大きさを有している。引出し３０は、天板１０の下から引き出しやすいように、手前側の側面板３２に取手３３を有している。引出し３０は、その内部の取手３３側の一方の隅に、飲料用容器４を置くことができる枠３４を有している。引出し３０が枠３４を有していることで、引出し３０を引き出したり、食事をしたりする際に、飲料用容器４が倒れてしまうのを防止することができる。なお、引出し３０は、少なくとも底板３１を有し、飲食物を載せることができればよく、四方を囲まれている必要はない。例えば、盆のような板状であってもよい。
【００２６】
引出し３０は、天板１０の配下に複数設けられ、複数の引出し３０のうち２つは、引き出す方向が反対になるように配置されている。本実施形態では、４人用の飲食用テーブルのため、利用者は２人ずつ隣り合わせ、かつ、向かい合って着席する。したがって、引出し３０は利用者の位置に合わせて４つ設けられ、２つずつ引き出す方向が反対になるように配置される（図２）。
【００２７】
引出し３０は、公知の技術により天板１０の下でスライド移動できるように構成されている。例えば、引出し３０は、底板３１の下部に溝（不図示）を有し、後述する下板４０に設けられた凸状のレール４１に沿って天板１０の下からスライド移動できるようになっていてもよい。もちろん、引出し３０は、スライド移動できれば、レールを用いた引出し構造に限られないし、下板４０の上に直接載置されていてもよい。
【００２８】
下板４０は、天板１０の下部に、引出し３０を収容できる間隔を空けて設けられる。下板４０は、天板１０と略同一の大きさを有し、飲食用テーブル１の脚部２０に取り付けられている。また、本実施形態では、下板４０は、引出し３０の溝に合うように凸状のレール４１を有している。引出し３０が、天板１０の下面にスライド移動できるように取り付けられている場合は、下板４０は設けられていなくてもよい。
【００２９】
次に、飲食用テーブル１の使用の一例について説明する。利用者は、注文した飲食物が運ばれてきたら、引出し３０を引き出して開け、皿２などを引出し３０の中に置き、引出し３０を押して閉じる。飲食時は、引出し３０を開け、それ以外の時は引出し３０を閉じる。会話をする際に引出し３０を天板１０の配下に収納しておけば、飲食物に会話中の飛沫がかかってしまうことを防ぐことができる。また、飲食物が天板１０の配下に収容されているため、会話中に手が当たって飲食物がこぼれてしまうことを防ぐことができる。また、天板１０の上から飲食物の残り状況を把握することができるので、適宜、飲食物を追加することができる。
【００３０】
より飛沫感染を防止するために、飲食用テーブル１の中央に仕切り５０を置いてもよい（図３（ａ））。仕切り５０は、透過性を有し、相手を見ることができれば卓上型、あるいは吊り下げ型等どのようなものであってもよい。対面および隣との間に仕切り５０を設けることで、会話による飛沫が相手にかかってしまうことを防ぐことができる。なお、仕切り５０の形状は特に限定されず、仕切り５０の下側の一部が開口し、利用者間でメニュー等のやり取りができるようになっていてもよい（図３（ｂ））。飲食物は天板１０の配下に収容されているため、メニューのやり取りで飲食物に飛沫がかかってしまうことを防ぐことができる。また、仕切り５０の一部が開口していることで声が通りやすくなり、会話がし易くなる。
【００３１】
以上、本実施形態に係る飲食用テーブル１について説明した。本願発明によれば、食事中の飛沫感染を防止する感染防止具となる飲食用テーブル１を提供することができる。飲食用テーブル１は、天板１０の配下に飲食物を収容した引出し３０を配置するため、食事中の会話による飛沫が飲食物にかかってしまうのを防ぐことができる。また、飲食物を個々に収納するために小皿での料理の提供が促され、大皿料理の取り分けによる飛沫感染のリスクを低減することができる。なお、本実施形態では、４人掛けの飲食用テーブルについて説明したが、人数や座席配置は特に限定されず、カウンター式の飲食用テーブル、２人掛けの飲食用テーブル、及び円卓等であってもよい。
【００３２】
本実施形態では天板１０の一部に透明部材１１が設けられていたが、天板１０の全体が透明部材１１から構成されていてもよい。また、天板１０と下板４０の間の空間は、引出し３０同士の間が仕切られるように構成されていてもよい。
【００３３】
図４は、本願発明の変形例に係る飲食用テーブル１ａの例を示している。図４（ａ）および図４（ｂ）は、飲食用テーブル１ａの側面図、図４（ｃ）および図４（ｄ）は、飲食用テーブル１ａの正面図である。本変形例では、飲食用テーブル１ａは、天板１０の一部が上方に開閉可能となっている。
【００３４】
天板１０は、中央から十字に四分割されている。ここで、四分割された各天板は、それぞれを天板１０ａと呼ぶものとする。また、天板１０ａは、上方に開くことができ、閉じた状態では天板１０として使用することができる。ここで、開閉する天板１０ａ全体またはその一部を扉部と呼ぶものとする。
【００３５】
天板１０ａは、上方に開いた際に閉じた状態と垂直になる位置で固定される。天板１０ａの角度を固定する手段は、特に限定されないが、例えば、任意の角度を保持できるトルクヒンジやフリーストップヒンジを用いられればよい。天板１０ａが開いて直立することで、仕切り５０の替わりとして使用することができる。また、天板１０ａは、透明部材１１を備え、配下の引出し３０を視認することができる。
【００３６】
下板４０は、上側に中央から十字になるように配置された支持壁４２を備えている。支持壁４２は、天板１０ａを支える役割をする。
【００３７】
天板１０ａは、利用者側から対向者側に向かって上方に、または利用者側から隣席者側に向かって上方に、開閉できるように支持壁４２に取り付けられている。具体的には、利用者側から対向者側に向かって上方に開閉する場合は、四分割された天板１０ａは、それぞれ利用者側から奥側に位置する辺が蝶番などを用いて支持壁４２に取り付けられている。天板１０ａは、利用者側の端部を利用者側から対向者側に向かって矢印で示すように持ち上げると開き、天板１０ａの配下に収容されている飲食物の飲食をすることができる（図４（ａ））。天板１０ａが仕切りの役割をするので、会話をしながら飲食をしても飛沫を防ぐことができる。天板１０ａは、利用者側の上面に窪み、あるいは穴などの取手（不図示）が設けられていてもよい。取手を設けることで、天板１０ａを開き易くなる。
【００３８】
また、対向または隣接する座席の位置関係にある天板１０ａは、互いに９０度異なる方向に開き、全部の天板１０ａを開くと十字の仕切りになるものであってもよい（図４（ｂ）、（ｃ））。図４（ｃ）に示すように、紙面左側の席の天板１０ａが利用者側から対向者側に向かって上方に開閉する場合、紙面右側の席の天板１０ａは、左側の席に向かって上方に開閉する。４人掛けの飲食用テーブルの場合、対角線上の２枚が利用者側から対向者側に向かって上方に開き、他の２枚は利用者の右側あるいは左側の隣席者側に向かって開くようにする。すべての天板１０ａを開くと、十字の仕切り板となる。このように、座席によって天板１０ａの開く方向を異ならせることで仕切り５０の替わりとして使用できる。なお、仕切りの高さを合わせるために、天板１０ａを同サイズの正方形にしておいてもよい。また、天板１０ａは、例えばレールを用いたスライド構造やヒンジを用いた折畳構造により複数枚の板を組み合わせることで、垂直に立たせた状態で仕切りの高さを調整できるように構成されていてもよい。また、天板１０ａは、開閉方向と反対側の端部上面に窪み、あるいは穴などの取手が設けられていてもよい。また、天板１０ａは、開閉する天板１０ａの中央付近で折り畳めるように中央部分が蝶番で連結されていてもよい（図４（ｄ））。
【００３９】
また、天板１０または天板１０ａが備えている透明部材１１が扉部として開閉可能に構成されていてもよい。図５に示すように、透明部材１１が扉部として互いに９０度異なる方向に開いて仕切りの役割をするものであってもよい。なお、仕切りの高さを合わせるために、透明部材１１を同サイズの正方形にしておいてもよい。また、透明部材１１は、例えばレールを用いたスライド構造やヒンジを用いた折畳構造により複数枚の板を組み合わせることで、垂直に立たせた状態で仕切りの高さを調整できるように構成されていてもよい。また、透明部材１１は、開閉方向と反対側の端部上面に取手を備えていてもよい。
【００４０】
天板１０ａあるいは透明部材１１を扉部として開閉可能にすることで、引出し３０を引き出す必要がなくなり、汁物のような器からこぼれやすい飲食物も楽しむことができる。また、扉部を直立させると仕切り部材として利用することができる。なお、支持壁４２は、設けられていなくてもよい。透明部材１１だけでなく、天板１０または天板１０ａも透明な部材から構成されていてもよい。また、天板１０ａは、利用者が開閉し易く、かつ、仕切りとして使用できればどのような形状をしていてもよい。例えば、天板１０の形状に合わせて長方形、あるいは正方形をしていてもよいし、他の形状をしていてもよい。
【００４１】
図６は、飲食用テーブル１に用いられる引出し３０の他の例を示している。料理の載った皿２は、飲料用容器４よりも高さが低いため、引出し３０内にそのまま置くと料理の位置が深くなり料理が取りにくくなる恐れがある。そこで、図６（ａ）に示すように、引出し３０ａ内において、皿２を載せる部分に、底板３１ａより上に位置する上げ底３１１ａを設ける。皿２を載せる位置が高くなり、料理が食べやすくなる。なお、上げ底３１１ａは、引出し３０ａに固定されていてもよいし、例えば引出し３０ａの内壁に複数段の高さ位置に取付部（溝や凸部）を設けるなどして、高さを変更可能に構成されていてもよい。
【００４２】
あるいは、図６（ｂ）に示すように、皿２が置かれる部分の底板３１ｂの部分のみ下板４０ｂに設けられたレール４１に乗り、飲料用容器４を置く枠３４部分の底板３１ｃは下に深く設けられる構成をしていてもよい。皿２を載せる位置が高くなり、料理が食べやすくなる。なお、飲料用容器４を置く位置に枠３４は、設けられていなくてもよい。
【００４３】
引出し３０の他の形態の例として、図４（ｃ）、（ｄ）に示すように、引出し３０は、載置板６０であってもよい。載置板６０は、引出し３０と異なり、４枚の側面板３２が省略され、側方が解放されている。載置板６０は、盆のような形状をしており、皿２などを載置する。飲食物を載置した載置板６０は、下板４０の上に載せるようにしてもよいし、引出し３０と同様に天板１０の配下からスライド移動できるようにしてもよい。
【００４４】
また、飲料用容器４を載せる部分を他より少し窪ませた形状の窪み６１としてもよい（図４（ｃ））。窪み６１を設けることで飲料用容器４が横滑りするのを防ぐことができる。あるいは、飲料用容器４を載せる部分の周囲に高さの異なる仕切り６２を設けてもよい（図４（ｄ））。飲料用容器４を持ち上げるのに仕切り６２が邪魔にならず、かつ、容器が傾くのを防ぐことができる。
【００４５】
以上、本願発明の実施形態および変形例について説明したが、上記した実施形態および変形例は、特許請求の範囲に係る発明を限定するものではない。上記の記載に基づいて、当業者であれば、本願発明の追加の効果や種々の変形例を容易に想到できるかもしれないが、本願発明の態様は、上述した実施形態および変形例に限定されるものではない。特許請求の範囲に規定された内容およびその均等物から導き出される本願発明の概念的な思想と趣旨を逸脱しない範囲で種々の追加、変更および部分的削除が可能である。
【符号の説明】
【００４６】
１、１ａ：飲食用テーブル、２：皿、３：箸、４：飲料用容器、１０、１０ａ：天板、１１：透明部材、１２：側板、２０：脚部、３０：引出し、３１、３１ａ、３１ｂ、３１ｃ：底板、３２：側面板、３３：取手、３４：枠、４０：下板、４１：レール、４２：支持壁、５０：仕切り、６０：載置板、６１：窪み、６２：仕切り
【要約】      （修正有）【課題】食事中の飛沫感染を防止する感染防止具となる飲食用テーブルを提供すること。【解決手段】天板１０と、天板１０の配下に設けられた、飲食物を収容する引出し３０と、を備え、天板１０の少なくとも一部は、引き出し３０に収容された飲食物を視認できるように透明部材１１で構成されていることを特徴とする飲食用テーブル１。【選択図】図１【図１】
0006966819.tif 000002
【図２】
0006966819.tif 000003
【図３】
0006966819.tif 000004
【図４】
0006966819.tif 000005
【図５】
0006966819.tif 000006
【図６】
0006966819.tif 000007